(57)【要約】      （修正有）【課題】動力を使用しない機器の一部を回転して定位置に固定する手段、手法として簡素に回転、固定を可能とし、しかも反転させた２通りの角度の固定のみならず複数箇所の角度の固定を可能とした機器回転部の多段固定器具を提供する。【解決手段】両端部分に回転軸を備えた機器や器具において、一方の回転軸４ａを回転しないように固定することで機器は静止状態にすることが可能であり、その回転軸４ａに回転レバー７を設けることで固定を解除し回転させる際により安全に行うことができる。この回転レバー７にストッパーピン９を設け位置決め板５と圧縮コイルばね８の力により一方の回転軸４ａの解除／固定を簡素にし、所望の傾き位置に固定可能であり安価且つ容易に行うことができる。【選択図】図２
0003198148.tif 000002
【実用新案登録請求の範囲】
【請求項１】
両端部分に回転軸を備えた機器や器具において、一方の回転軸４aは固定脚１に配置された軸受け２ａと位置決め板５を貫通し連結軸６により結合され、回転レバー７は連結軸６を中心に変移可能な状態で取付けられ、回転レバー７のほぼ鉛直上で回転軸４a上には回転レバー７を押し戻す圧縮コイルばね８が配置されており、回転レバー７のストッパーピン９が位置決め板５の固定穴５aにはまり込むことにより回転軸４aは回転しなくなり回転物（乾燥板３）も固定され所望の傾き位置に固定可能であり動力を使用しない機器の一部を回転して固定する手段、手法として簡素に回転、固定を可能とし、複数箇所の角度の固定を可能とした機器回転部の多段固定器具。
【考案の詳細な説明】
【技術分野】
【０００１】
本考案は機器回転部の多段固定器具に関する。
【背景技術】
【０００２】
動力を使用しない機器の一部を回転して定位置に固定する最も簡易的に用いられる手法として、人力により回転させた後ボルトなどで固定する方法が多かった。またストッパーを解除し回転させ反転する２通りの角度の固定位置で使用する方法が多かった。  例えば、両面使用可能な回転黒板は黒板を回転する場合の解除／固定は、両側のボルトによるものやストッパーを解除し回転させ反転する２通りの角度の固定方法にたよっていた。
【考案の概要】
【考案が解決しようとする課題】
【０００３】
本考案は、動力を使用しない機器の一部を回転して固定する手段、手法として簡素に回転、固定を可能とし、しかも反転させた２通りの角度の固定のみならず複数箇所の角度の固定を可能とした機器回転部の多段固定器具を提供するものである。
しかしながら、前記回転黒板の回転部固定方法などは、解除／固定に手間取ることも多く反転させた２通りの角度のみの固定方法であり、他の機器に流用されることは少なく専用の器具となっている。
【課題を解決するための手段】
【０００４】
回転黒板の回転部固定方法などは、解除／固定に手間取ることも多く反転させた２通りの角度のみの固定方法であり、他の機器に流用されることは少なく専用の器具となっている。
本考案は、回転黒板のような動力を使用しない機器の一部を回転して固定する手段、手法として簡素に回転、解除／固定を可能とし、しかも反転させた２通りの角度の固定のみならず複数箇所の角度の固定を可能とした機器回転部の多段固定器具を提供するものである。
【考案の効果】
【０００５】
動力を使用しない機器の一部を回転して定位置に固定する最も簡易的に用いられる手法として、人力により回転させた後ボルトなどで固定する方法が多かった。またストッパーを解除し回転させた場合も反転させた２通りの角度の固定のみで使用する方法が多かった。
本器具は、動力を使用しない機器の一部を回転して定位置に固定する手段、手法として簡素に回転、固定を可能とし、しかも反転させた２通りの角度の固定のみならず複数箇所の角度の固定を可能とした機器回転部の多段固定器具を提供するものであり、作業効率を向上させる角度、姿勢を維持させることが可能となる。
【図面の簡単な説明】
【０００６】
【図１】は本考案の実施の形態に係る機器回転部の多段固定器具を使用した実施例であり両面使用可能な和紙乾燥機の全体図である。
【図２】は本考案の実施の形態に係る機器回転部の多段固定器具の断面図である。
【図３】は本考案の実施の形態に係る機器回転部の多段固定器具の側面図である。
【図４】は本考案の実施の形態に係る機器回転部の多段固定器具の回転レバーの詳細図である。
【図５】は本考案の実施の形態に係る機器回転部の多段固定器具の位置決め板の詳細図である。図１に示す乾燥板３の両側面ほぼ中央に取付けられた回転軸４ａ，４ｂは固定脚１に配置された軸受け２a，２bを中心に回転可能であり、図２乃至図５に示す乾燥板３の一方の回転軸４aは固定脚１に配置された軸受け２ａと位置決め板５を貫通し連結軸６により結合され、回転レバー７は連結軸６を中心に変移可能な状態で取付けられ、回転レバー７のほぼ鉛直上で回転軸４a上には回転レバー７を押し戻す圧縮コイルばね８が配置されており、回転レバー７のストッパーピン９が位置決め板５の固定穴５aにはまり込むことで回転軸４aは回転しなくなり乾燥板３も固定される。また、回転レバー７の長さは連結軸６と圧縮コイルばね８の取り付けピッチよりできるだけ長くする事で、てこの原理により回転レバー７の操作は容易になる。
【考案を解決するための形態】
【０００７】
機器の一方の回転軸４aを回転しないように固定することで機器は静止状態にすることが可能である。またその回転軸４aに回転レバー７を設けることで固定を解除し回転させる際により安全に行うことができる。
そこで、一方の回転軸４aは固定脚１に配置された軸受け２ａと位置決め板５を貫通し連結軸６により結合され、回転レバー７は連結軸６を中心に変移可能な状態で取付けられ、回転レバー７のほぼ鉛直上で回転軸４a上には回転レバー７を押し戻す圧縮コイルばね８が配置されており、回転レバー７のストッパーピン９が位置決め板５の固定穴５aにはまり込むことにより回転軸４aは回転しなくなり乾燥板３も固定される。また、連結軸７の長さは連結軸６と圧縮コイルばね８の取り付けピッチよりできるだけ長くする事で、てこの原理により回転レバー７の操作は容易になる。いわゆる、てこの原理を応用し回転レバー７を倒すことで圧縮コイルばね８は容易に圧縮されてストッパーピン９が解除されると共に、回転レバー７により機器の回転も安全且つ容易に行え所望とする位置に固定可能となる。  なお、位置決め板５は所望とする固定位置となる固定穴５ａを開けたものを用意することでいかようにも対応可能となる。
【実施例】
【０００８】
図１は本考案の実施の形態に係る機器回転部の多段固定器具を使用した実施例であり両面使用可能な和紙乾燥機の全体図である。図２は本考案の実施の形態に係る機器回転部の多段固定器具の断面図である。図３は本考案の実施の形態に係る機器回転部の多段固定器具の側面図である。図４は本考案の実施の形態に係る機器回転部の多段固定器具の回転レバーの詳細図である。図５は本考案の実施の形態に係る機器回転部の多段固定器具の位置決め板の詳細図である。
図１に示す乾燥板３の両側面ほぼ中央に取付けられた回転軸４ａ，４ｂは固定脚１に配置された軸受け２a，２bを中心に回転可能であり、図２乃至図５に示す乾燥板３の一方の回転軸４aは固定脚１に配置された軸受け２ａと位置決め板５を貫通し連結軸６により結合され、回転レバー７は連結軸６を中心に変移可能な状態で取付けられ、回転レバー７のほぼ鉛直上で回転軸４a上には回転レバー７を押し戻す圧縮コイルばね８が配置されており、回転レバー７のストッパーピン９が位置決め板５の固定穴５aにはまり込むことで回転軸４aは回転しなくなり乾燥板３も固定される。また、回転レバー７の長さは連結軸６と圧縮コイルばね８の取り付けピッチよりできるだけ長くする事で、てこの原理により回転レバー７の操作は容易になる。
【産業上の利用可能性】
【０００９】
和紙乾燥機だけでなく、両端部分に回転軸を備えた機器や器具を回転させ所望の傾き位置に固定可能でありその機器や器具はボード状のみならず固形物が混入したドラム状の攪拌機などの洗浄・排出においても所望の傾き位置に固定可能であり安価且つ容易に行うことができる。
【符号の説明】
【００１０】
１‥‥‥固定脚
２ａ‥‥軸受け
２ｂ‥‥軸受け
３‥‥‥乾燥板
４ａ‥‥回転軸
４ｂ‥‥回転軸
５‥‥‥位置決め板
５ａ‥‥固定穴
６‥‥‥連結軸
７‥‥‥回転レバー
８‥‥‥圧縮コイルばね
９‥‥‥ストッパーピン
【図１】
0003198148.tif 000003
【図２】
0003198148.tif 000004
【図３】
0003198148.tif 000005
【図４】
0003198148.tif 000006
【図５】
0003198148.tif 000007